(57)【特許請求の範囲】
【請求項１】
金型の型別れ方向を上下方向として射出成型されてなる持ち手であって、上方を開放したほぼ半円筒形を呈し中央が細長い水平な握り部（２）と、この握り部の両端をそれぞれ下方へ曲げた下がり部（３）と、この下がり部の下端に水平に設けた紐乗せ部（４）と、この紐乗せ部の前記下がり部と離れた位置から上方に立ち上げた紐止め角（５）と、この紐止め角の前記下がり部に対向する面から迫り出し下面に水平面に対して傾斜した面を有する抜け止め瘤（６）とを備え、前記抜け止め瘤が型別れに際して無理抜きされて成形される持ち手。
【請求項２】
金型の型別れ方向を上下方向として射出成型されてなる持ち手であって、上方を開放したほぼ半円筒形を呈し中央が細長い水平な握り部（２）と、この握り部の両端をそれぞれ下方へ曲げた下がり部（３）と、この下がり部の下端に水平に設けた紐乗せ部（４）と、この紐乗せ部の前記下がり部と離れた位置から上方に立ち上がり両方の下がり部（３）の中心を通る面に対して互い違いに傾斜している紐止め角（５）とを備える持ち手。
【請求項３】
金型の型別れ方向を上下方向として射出成型されてなる持ち手であって、上方を開放したほぼ半円筒形を呈し中央が細長い水平な握り部（２）と、この握り部の内側横方向に設けられる三日月形リブ（９）と、上記握り部の両端をそれぞれ下方へ曲げた下がり部（３）と、この下がり部の下端に水平に設けた紐乗せ部（４）と、この紐乗せ部の前記下がり部と離れた位置から上方に立ち上げた紐止め角（５）とを備える持ち手。
【請求項４】
請求項１〜３のいずれか記載の持ち手において、握り部（２）の横方向で中央（８）及び両縁（７）が厚く、中央及び両縁の間の部分（１０）で薄く形成されたことを特徴とする持ち手。
【請求項５】
請求項１から４のいずれか記載の持ち手において、下がり部（３）が、ほぼ半瀘斗形状であることを特徴とする持ち手。
【発明の詳細な説明】
【０００１】
【産業上の利用分野】
本発明は紐掛け荷物の紐に取り付ける持ち手と、その成型方法に関する。
【０００２】
【従来技術】
紐掛け荷物の紐に取り付ける持ち手は、中央が水平でその両端を折り返し、紐かけ部とした針金に中央水平部分のみに木等の円筒を取り付けた物や、図５に示すように、射出成型により握り部、下がり部、紐乗せ部、紐止め角、紐抜け止め瘤が一体に成形された物等が有る。
【０００３】
【発明が解決しようとする課題】
前記射出成型の場合には、図５に示すように、金型の型別れ方向は横方向（図中前後方向に相当）である。したがって、図５の持ち手によれば、使用時に手が痛くなり、重量の大きい物には数個重ねて補強できず、保管運搬時には体積を少なくできず、紐に掛け易い堅牢な持ち手を供給できなかった。また、上記の持ち手を、簡単で安価に作ることができなかった。
【０００４】
【課題を解決する為の手段】
そこで、本発明は、使用時に手が痛くなく、重量の大きい物には数個重ねて補強でき、保管運搬時には体積を少なくでき、紐に掛け易い堅牢な持ち手を供給しようとするものである。また、上記の持ち手を、簡単で安価に作る成型方法を提供しようとするものである。
【０００５】
請求項１では、金型の型別れ方向を上下方向として射出成型されてなる持ち手であって、上方を開放したほぼ半円筒形を呈し中央が細長い水平な握り部（２）と、この握り部の両端をそれぞれ下方へ曲げた下がり部（３）と、この下がり部の下端に水平に設けた紐乗せ部（４）と、この紐乗せ部の前記下がり部と離れた位置から上方に立ち上げた紐止め角（５）と、この紐止め角の前記下がり部に対向する面から迫り出し下面に水平面に対して傾斜した面を有する抜け止め瘤（６）とを備え、前記抜け止め瘤が型別れに際して無理抜きされて成形される持ち手を提供する。
【０００６】
上記手段によれば、金型の型別れ方向を上下方向として抜け止め瘤を無理抜きしてなる射出成型品の持ち手を提供でき、また、パーティング面に対する専有面積を小さくして多数個取りし、安価で提供できる。また、抜け止め瘤の下面に、水平面に対し傾斜した面があると、コア型から離型する時に滑り、無理抜きを容易にする。さらに、持ち手の握り部をほぼ半円筒形にすると、尖った部分がなく、荷重が使用者の手に広く平均して掛かり、この持ち手を上下に組み重ねることを可能にする。
【０００７】
請求項２では、金型の型別れ方向を上下方向として射出成型されてなる持ち手であって、上方を開放したほぼ半円筒形を呈し中央が細長い水平な握り部（２）と、この握り部の両端をそれぞれ下方へ曲げた下がり部（３）と、この下がり部の下端に水平に設けた紐乗せ部（４）と、この紐乗せ部の前記下がり部と離れた位置から上方に立ち上がり両方の下がり部（３）の中心を通る面に対して互い違いに傾斜している紐止め角（５）とを備える持ち手を提供する。
【０００８】
上記手段によれば、特に、下がり部の傾斜を利用して紐を掛け易くし、傾斜を利用して持ち手を上下方向に組み重ねることを可能にできる。
【０００９】
請求項３では、金型の型別れ方向を上下方向として射出成型されてなる持ち手であって、上方を開放したほぼ半円筒形を呈し中央が細長い水平な握り部（２）と、この握り部の内側横方向に設けられる三日月形リブ（９）と、上記握り部の両端をそれぞれ下方へ曲げた下がり部（３）と、この下がり部の下端に水平に設けた紐乗せ部（４）と、この紐乗せ部の前記下がり部と離れた位置から上方に立ち上げた紐止め角（５）とを備える持ち手を提供する。
【００１０】
上記手段によれば、持ち手の握り部を内側のリブで補強をすることができるうえ、この持ち手を上下に組み重ねることを可能にする。また、このリブは三日月形なので積み重ねのピッチを小さく出来るし、袋の提げ手を持ち手に乗せた時に、袋の持ち手が横に逃げず安定する助けになる。
【００１１】
請求項４では、請求項１から３のいずれか記載の持ち手において、握り部の横方向で中央及び両縁が厚く、中央及び両縁の間の部分で薄く形成されたことを特徴とする。
【００１２】
上記手段によれば、断面積の割りに強く成形される。
【００１３】
請求項５では、請求項１から４のいずれか記載の持ち手において、下がり部が、ほぼ半瀘斗形状であることを特徴とする。
【００１４】
上記手段によれば、曲げや捩じれ力に強く、射出成形の型開きを上下方向にするのに適し、上下方向に組み重ねることを可能にする。
【００１５】
【実施例】
本発明を実施例に基づいて説明する。図１は実施例の斜視図、図２は実施例を上下方向に組み重ねた斜視図である。なお、文中の上下関係は、持ち手を上（図１、Ａ方向を上）、紐乗せ部を下（図１、Ｂ方向を下）にした状態で説明する。水平で上方解放な半円筒形の握り部（２）の両端に、半瀘斗形状（瀘斗形の縦半割り形状）の下がり部（３）が、下向きで握り部（２）と直角に取り付き、その下がり部（３）の下端に水平な紐乗せ部（４）が迫り出し、更にその紐乗せ部の、下がり部と僅かに離れた所から、紐止め角（５）が両下がり部（３）の中心を通る面に対して傾斜して立ち上がる。図３は部分切り欠き斜視図であるが、握り部（２）の横方向中央部（８）及び縁部（７）は、中央及び縁の間の部分（１０）よりも、厚く形成される。曲げに対する抵抗力は上下の中心から遠い部分ほど大きく働くので、全体の断面積が同じであれば中央部（８）（下部）、及び縁部（７）（上部）を厚くするのが有効である。この事は矩形梁よりはＨ断面の梁の方が強いことでも分かる。半円筒形握り部（２）の内側には三日月形リブ（９）を設け、握り部（２）が荷重と、それに対する手の握力により、変形しないようにする、このリブは特に薄く作られた中央及び縁の間の部分（１０）の補強に役立つ、又この三日月形は後記の上下方向積み重ねのピッチを小さく出来るし、図５の様に、袋の提げ手を持ち手（１）に乗せた時に、袋の持ち手が横に逃げず安定する助けになる。
【００１６】
本実施例によれば、図５に示す従来の持ち手に比較して、握り部に尖った部分がなく荷重が使用者の手に、広く平均して掛かり、手が痛くない。同様に、下がり部（３）が半瀘斗形状で中央側が曲面なので、この部分に接触する手が痛く成らない。握り部（２）を半円筒形に、下がり部（３）を半瀘斗形状に、紐止め角（５）を両下がり部（３）の中心を通る面に対して傾斜させたので、抜け止め瘤（６）が有っても、型別れ方向が上下方向に出来る、又、抜け止め瘤（６）の下面に傾斜した面（１６）が有れば、前記紐止め角（５）の傾斜が少なくても、コア型からの離型が可能である。型別れ方向を上下方向にすると、パ−ティング面に対する専有面積が小さい（従来に比して５０％）ので、より多くの数が１回の成形で生産出来る。図２に示す様に縦方向に積み重ねると、ばらばらの場合よりボリュ−ムが小さくなり（上下ピッチを８ｍｍ程度で重ねるとボリュウムは３０％）、保管、輸送のコストが下がるだけでなく、店舗のレジ回りの貴重な空間を無駄にしない。１つだけでは荷重に負ける時、２つ３つと上下方向に組み合わせて使うと（図２）握り部、下がり部、紐乗せ部、紐止め角等それぞれの部分が荷重に対し共同で働くので、「毛利元就の矢」の様に非常に強くなる、この時、上下ピッチに合わせ、三日月リブの高さや、紐止め角の角度と厚さを上下の物同志が密着するように制作すると、効果的である。
【００１７】
【発明の効果】
請求項１の持ち手によれば、金型にスライド部分を作らなくても、紐抜け止め瘤を無理抜きして型開きを上下方向にできる。型別れ方向を上下方向にして握り部をほぼ半円筒形としたので、抜け止め瘤を無理抜きしたうえでパ−ティング面に対する専有面積を小さくしたものを多数成形することができ、安価で提供することができる。また、専有面積を小さくしたうえにスライド部分を不要とした射出成形用の金型を用いて、１回の成形で数多く作れ経済的である。さらに、抜け止め瘤の下面に水平面に対し傾斜した面があるので、コア型から離型する時に滑り、無理抜きを容易にすることができる。しかも、上下方向に積み重ねると、ばらばらの場合よりボリュ−ムが小さくなり、保管、輸送のコストが下がるだけでなく、店舗のレジ回りの貴重な空間を無駄にしない。
【００１８】
請求項２の持ち手によれば、特に、紐止め角の傾斜を利用して紐を掛け易くすることができ、傾斜を利用して持ち手を上下方向に組み重ねることができるうえに、抜け止め瘤があってもスライド部分を不要として型別れ方向を上下方向にできる。
【００１９】
請求項３の持ち手によれば、特に、持ち手の握り部をほぼ半円筒形にして荷重を使用者の手に広く平均して掛けることができ、内側の三日月形リブで半円筒形の補強をすることができるうえ、この持ち手を上下に組み重ねることを可能にできる。
【図面の簡単な説明】
【図１】本発明の持ち手の斜視図
【図２】本発明の持ち手を多数個上下方向に組み重ねた斜視図
【図３】本発明の持ち手の中央横断面図
【図４】本発明の持ち手に袋の提げ手を乗せた斜視図
【図５】従来の持ち手の斜視図
【符号の説明】
１ 持ち手
２ 握り部
３ 下がり部
４ 紐乗せ部
５ 紐止め角
６ 紐抜け止め瘤
７ 縁部
８ 中央部
９ リブ
１６ 傾斜した面
２０ 紐
２１ 袋
Ａ 上方向
Ｂ 下方向
【図１】
0003598146.tif 000002
【図２】
0003598146.tif 000003
【図３】
0003598146.tif 000004
【図４】
0003598146.tif 000005
【図５】
0003598146.tif 000006